(57)【要約】      （修正有）【課題】既に降雪のあった時点において、その事前の日時における気象データを融雪コントローラに格納し、当該気象データと現在の気象データと整合した時点で、雪の降る時間を特定する降雪予測装置を提供する。【解決手段】降雪予測装置は運転判断処理部と過去の現在地の気象データとデータ更新処理部からなる融雪コントローラと、気象観測センサ群と融雪装置とを備える。融雪装置はアプローチなどの雪を溶かすロードヒーターや屋根などの雪を融かすための装置である。融雪コントローラは融雪装置がオフの場合、予め設定された時間ｔ１とｔ２に基づいて、運転判断処理部を一定時間ｔ１ごとに起動し、データ更新処理部を一定時間ｔ２ごとに起動する。融雪コントローラは融雪装置がオンの場合、気象観測センサ群の降雪センサに基づいて予め設定された時間ｔ３の間、降雪がなかった場合、融雪装置をオフにする。【選択図】図１
2017187458.tif 000002
【特許請求の範囲】
【請求項１】
気象観測センサ郡１２から得た現在の気象データ１７と、融雪コントローラ１１に格納した各地の過去の気象データ１５の過去に降雪のあった事前の気象状況と一致した時点で降雪予測を判定し融雪装置１３を電源オンさせ、気象観測センサ郡１２の色感知、濡れ感知でオン・オフ作動する公知の降雪センサの降雪無しの信号で融雪装置１３を電源オフにすることを特徴とした、事前に降雪時間を特定する降雪予測装置。
【請求項２】
気象観測センサ郡１２から得た現在の気象データ１７と、融雪コントローラ１１に格納した各地の過去の気象データ１５の過去に降雪のあった事前の気象状況と一致した時点で降雪予測を判定し、融雪装置１３を電源オンさせる、請求項１の事前に降雪時間を特定する降雪予測装置。
【請求項３】
請求項１の現在の気象データ１７をインターネット４４から入手することを特徴とする降雪予測装置。
【請求項４】
請求項１から請求項３の全てにおいて、気象観測センサ郡１２の降雪センサから得た情報により、過去の気象データ１５を更新することを特徴とする降雪予測装置。
【発明の詳細な説明】
【技術分野】
【０００１】  本発明は事前に降雪時間を予測して予め、融雪装置等のオン・オフの制御に関する装置である。
【背景技術】
【０００２】  融雪を目的とするロードヒーターや降雪地の屋根の融雪装置は、降雪の前にヒーター熱源をオンにするのが効果的である。当該分野の先行技術として、「融雪装置遠隔制御システム」（特許第４１０４６３５号）がある。この先行技術はインターネットなどを介して、天気予報や遠隔地の映像をもとに積雪状況を監視して融雪装置をオン・オフするシステムである。
【発明の概要】
【発明が解決しようとする課題】
【０００３】  インターネットを介した天気予報やリアルタイムの画像による降雪予測・降雪判断は専門の業者に依頼する必要があり、高額な費用がかかる上に、全ての降雪地域を対象にする汎用的な装置がない。【０００４】  一般住宅に活用するロードヒーターや融雪屋根の降雪予測装置は、複雑な設定とメンテナンスが必須となる。
【課題を解決するための手段】
【０００５】  本発明は、既に降雪時の事前の気象データを気象庁から収集しておく。【０００６】  本発明は、降雪予測装置内に格納した、既に雪が降った時の事前の日時単位の湿度、気温、風速、風向、日射などの気象過去データと現在の気象状況とが一致した時点において降雪時間を予測する。【０００７】  本発明の降雪予測装置の降雪時間特定の精度を高めるため、既に公知のインターネット等を利用したリアルデータ方式との組み合わせを行うことも可能である。
【発明の効果】
【０００８】  予め設置場所の降雪過去データを集約した降雪予測機材を搭載するため簡易的な装置となる。【０００９】  既に降雪した際の事前気象データのため、降雪確率が高くなる。【００１０】  設置場所の過去データを基にしているため、現況の気象状況に大きく左右されることはない。
【図面の簡単な説明】
【００１１】
【図１】請求項１の機能ブロック図（単独構成）
【図２】請求項１の運転判断処理部の流れ図（単独構成）
【図３】請求項４のデータ更新処理部の流れ図（単独構成）
【図４】請求項３の機能ブロック図（インターネット接続構成）
【図５】請求項３の運転判断処理部の流れ図（インターネット接続構成）
【図６】請求項４のデータ更新処理部の流れ図（インターネット接続構成）
【図７】請求項１と請求項３を組み合わせた実施例の機能ブロック図（インターネット接続とセンサ構成）
【図８】請求項１と請求項３を組み合わせた実施例のデータ更新処理部の流れ図（インターネット接続とセンサ構成）
【発明を実施するための形態】
【００１２】  過去の各地の気象データと気象観測センサ群から入手した現在の気象データに基づいて、接続された融雪装置のオン・オフを制御する形態。
以下、図面を参照しながら本発明の実施の形態を詳細に説明する。
【００１３】  図１は本発明の一実施形態に関わる降雪予測装置を示す機能ブロック図である。降雪予測装置は運転判断処理部１４と過去の現在地の気象データ１５とデータ更新処理部１６からなる融雪コントローラ１１と、気象観測センサ群１２と融雪装置１３とを備える。気象観測センサ群１２は降雪センサ、気温センサ、風向・風速センサなどからなる。融雪装置１３は道路や駐車場、施設のアプローチなどの雪を溶かすロードヒーターや屋根などの雪を融かすための装置である。融雪コントローラ１１は融雪装置１３がオフの場合、予め設定された時間ｔ１とｔ２に基づいて、運転判断処理部１４を一定時間ｔ１ごとに起動し、データ更新処理部１６を一定時間ｔ２ごとに起動する。融雪コントローラ１１は融雪装置１３がオンの場合、気象観測センサ群１２の降雪センサに基づいて予め設定された時間ｔ３の間、降雪がなかった場合、融雪装置１３をオフにする。
【００１４】  図２は運転判断処理部１４の流れ図である。運転判断処理部１４は気象観測センサ群１２から観測された現在の気象データ１７を得る（ステップ２１）。過去の気象データ１５と現在の気象データ１７を比較し、過去に降雪のあったｔ１時間前の気象データを統計解析手法や機械学習により比較し、過去の降雪のあったｔ１時間前と一致するケースがあった場合、「降雪可能性あり」と判定し、一致する状況がなかった場合、「降雪可能性なし」と判定する（ステップ２２）。ステップ２２の降雪の予測結果を判断する（ステップ２３）。ステップ２３で降雪可能性ありの場合、融雪装置１３の状態を判断する（ステップ２４）。ステップ２４で融雪装置１３がオンの場合、処理を終了する。ステップ２４で融雪装置１３がオフの場合、融雪装置１３をオンにして処理を終了する（ステップ２５）。ステップ２３で降雪可能性なしの場合、融雪装置１３の状態を判断する（ステップ２６）。ステップ２６で融雪装置１３がオンの場合、融雪装置１３をオフにして処理を終了する（ステップ２７）。ステップ２６で融雪装置１３がオフの場合、処理を終了する。
【００１５】  図３はデータ更新処理部１６の流れ図である。データ更新処理部１６は気象観測センサ群１２から観測された現在の気象データ１７を得る（ステップ３１）。降雪時の気象データ１７に基づいてデータ過去の気象データ１５を更新し、終了する（ステップ３２）。
【００１６】  図４は本発明の一実施形態に関わる降雪予測装置を示す機能ブロック図である。降雪予測装置は運転判断処理部４２と過去の現在地の気象データ１５とデータ更新処理部４３からなる融雪コントローラ４１と、インターネット４４とインターネット経由で得られる現在地の現在の気象データ・天気予報４５と融雪装置１３とを備える。融雪コントローラ４１は予め設定された時間ｔ１とｔ２に基づいて、運転判断処理部４２を一定時間ｔ１ごとに起動し、データ更新処理部４３を一定時間ｔ２ごとに起動する。融雪コントローラ４１は融雪装置１３がオンの場合、気象観測センサ群１２の降雪センサに基づいて予め設定された時間ｔ３の間、降雪がなかった場合、融雪装置１３をオフにする。
【００１７】  図５は運転判断処理部４２の流れ図である。運転判断処理部４２はインターネット４４から現在地の現在の気象データ・天気予報４５を取得する（ステップ５１）。過去の気象データ１５とインターネット４４から取得した現在地の現在の気象データ・天気予報４５を比較し、過去に降雪のあったｔ１時間前の気象データを統計解析手法や機械学習により比較し、過去の降雪のあったｔ１時間前と一致するケースがあった場合、「降雪可能性あり」と判定し、一致する状況がなかった場合、「降雪可能性なし」と判定する（ステップ５２）。ステップ５２の降雪の予測結果を判断する（ステップ５３）。ステップ５３で降雪可能性ありの場合、融雪装置１３の状態を判断する（ステップ５４）。ステップ５４で融雪装置１３がオンの場合、処理を終了する。ステップ５４で融雪装置１３がオフの場合、融雪装置１３をオンにして処理を終了する（ステップ５５）。ステップ５３で降雪可能性なしの場合、融雪装置１３の状態を判断する（ステップ５６）。ステップ５６で融雪装置１３がオンの場合、融雪装置１３をオフにして処理を終了する（ステップ５７）。ステップ５６で融雪装置１３がオフの場合、処理を終了する。
【００１８】  図６はデータ更新処理部４３の流れ図である。データ更新処理部４３は一定時間ｔ１ごとに起動し、インターネットから気象データ・天気予報４５を得る（ステップ６１）。降雪時の気象データ・天気予報４５に基づいて過去の気象データ１５を更新し、終了する（ステップ６２）。
【実施例】
【００１９】  図７は本発明の請求項１と請求項３を組み合わせた実施例を示す機能ブロック図である。降雪予測装置は運転判断処理部５２と過去の気象データ１５とデータ更新処理部４３からなる融雪コントローラ５１と、気象観測センサ群１２とインターネット４４とインターネット経由で得られる現在地の現在の気象データ・天気予報４５と融雪装置１３とを備える。融雪コントローラ５１は予め設定された時間ｔ１とｔ２に基づいて、運転判断処理部５２を一定時間ｔ１ごとに起動し、データ更新処理部４３を一定時間ｔ２ごとに起動する。融雪コントローラ５１は融雪装置１３がオンの場合、気象観測センサ群１２の降雪センサに基づいて予め設定された時間ｔ３の間、降雪がなかった場合、融雪装置１３をオフにする。【００２０】  図８は運転判断処理部５２の流れ図である。運転判断処理部５２はインターネット４４から現在地の現在の気象データ・天気予報４５を取得する（ステップ８１）。気象観測センサ群１２から観測された現在の気象データ１７を得る（ステップ８２）。過去の気象データ１５とセンサによって取得した現在の気象データ１７とインターネット４４から取得した気象・天気予報４５とを比較し、過去に降雪のあったｔ１時間前の気象の気象データを統計解析手法や機械学習により比較し、過去の降雪のあったｔ１時間前と一致するケースがあった場合、「降雪可能性あり」と判定し、一致する状況がなかった場合、「降雪可能性なし」と判定する（ステップ８３）。ステップ８３の降雪の予想結果を判断する（ステップ８４）。ステップ８４で降雪可能性ありの場合、融雪装置１３の状態を判断する（ステップ８５）。ステップ８５で融雪装置１３がオンの場合、処理を終了する。ステップ８５で融雪装置１３がオフの場合、融雪装置１３をオンにして処理を終了する（ステップ８６）。ステップ８４で降雪可能性なしの場合、融雪装置１３の状態を判断する（ステップ８７）。ステップ８７で融雪装置１３がオンの場合、融雪装置１３をオフにして処理を終了する（ステップ８８）。ステップ８７で融雪装置がオフの場合、処理を終了する。
【産業上の利用可能性】
【００２１】  インターネットを利用しない実施例では簡易装置で安価に設置できる。【００２２】  インターネットを利用した実施例では正確な降雪の事前予測ができる。【００２３】  従来のロードヒーティング等の融雪装置に加えて、一般既存住宅の屋根に利用することにより雪が積もらない仕掛けを実現できる。
【符号の説明】
【００２４】１１  融雪コントローラ
１２  気象観測センサ群
１３  融雪装置
１４  運転判断処理部
１５  過去の気象データ
１６  データ更新処理部
１７  現在の天気データ
４１  融雪コントローラ
４２  運転処理部
４３  データ更新処理部
４４  インターネット
４５  現在地の現在の気象データ・天気予報
５１  融雪コントローラ
５２  運転処理部
【図１】
2017187458.tif 000003
【図２】
2017187458.tif 000004
【図３】
2017187458.tif 000005
【図４】
2017187458.tif 000006
【図５】
2017187458.tif 000007
【図６】
2017187458.tif 000008
【図７】
2017187458.tif 000009
【図８】
2017187458.tif 000010